(57)【要約】【課題】商品販売希望者の在庫品等を現在商品価値に近い販売チャンスを与えることが可能なプライスダウンサイト運営および販売を行う。【解決手段】インターネットまたは携帯電話等の通信ネットワークを利用して商品販売希望者が販売希望最高価格からスタートし、プライスを一定時間または一定日時によって販売希望金額を低下させることによって購入希望者の購入欲求を喚起する効果が可能であり、新しい商品流通の構築が出来るようにした。【選択図】図３
2009043211.tif 000002
【特許請求の範囲】
【請求項１】
インターネットや携帯電話等の通信ネットワークを利用した商品販売希望者のプライスダウン販売方法であり、販売価格を、スタート時の金額設定、一定時間または一定日時設定、プライスダウン金額設定、最低販売価格設定、再販売希望回数設定を有する。
スタート時の金額設定によって設定されたプライスから、一定時間または一定日時設定によって設定された時間または日時内に、ユーザーによる購入が認識された場合には売買の成立となり、一定時間または一定日時内に購入が認識されない場合、最低金額設定によって改めてスタート時の設定金額に戻り再販売希望回数まで繰り返し販売される。スタート金額から時間または日時で設定金額を低下させるプライスダウン販売を特徴とするインターネットや携帯電話等の通信ネットワークを利用した商品販売希望者のプライスダウン販売方法。
【請求項２】
一定時間または一定日時によって販売価格を低下するよう設定したことを特徴とする請求項１記載のインターネットや携帯電話等の通信ネットワークを利用した商品販売希望者のプライスダウン販売方法。
【請求項３】
一定時間または一定日時設定は、最低販売価格に到達するまで複数回設定することができるようにしたことを特徴とする請求項１、２記載のインターネットや携帯電話等の通信ネットワークを利用した商品販売希望者のプライスダウン販売方法。
【請求項４】
スタートプライス設定によって設定されたスタート金額、一定時間または一定日時設定によって設定された時間、日時、プライスをインターネットや携帯電話等の情報端末上に表示するようにしたことを特徴とする請求項１、２、または３記載のインターネットや携帯電話等の通信ネットワークを利用した商品販売希望者のプライスダウン販売方法。
【請求項５】
購入希望者のパソコンまたは携帯電話等の情報端末と接続されているインターネットまたは携帯電話等に接続する通信ネットワークを利用してプライスダウンを行うためのプライスダウンサイトサーバーであり、入力画面によって入力された商品画像情報、商品詳細情報、スタート時のプライス情報、一定時間または一定日時情報、一定時間または一定日時によって低下する金額情報とを有し、かつ購入希望者のパソコンまたは携帯電話等の情報端末からの購入情報を受ける手段を有し、一定時間または一定日時内に購入が認識されない場合最低金額設定によって改めてスタート時の設定金額に戻る。スタート金額から低下した金額でプライスダウン販売を継続するようにしたことを特徴とするインターネットや携帯電話等の通信ネットワークを利用した商品販売希望者のプライスダウン販売方法。
【請求項６】
再販売希望回数を有し、一定時間または一定日時内に購入者が発生しなかった場合スタート時の設定金額に戻るインターネットや携帯電話等の通信ネットワークを利用した商品販売希望者のプライスダウン販売方法。
【発明の詳細な説明】
【技術分野】
【０００１】本発明はインターネットや携帯電話等の通信ネットワークを利用し商品販売希望者の希望販売価格を時間または日時によって一定金額で希望価格を引き下げていくものであり、商品販売希望者の設定する最低販売希望価格まで購入者が発生しなかった場合、商品販売希望者の再販売希望回数に合わせて何度でも繰り返しスタート希望金額からプライスダウンしていく販売方法である。
【背景技術】
【０００２】現在インターネット上で購入希望商品を探す場合、ネット通信販売サイトにアクセスし販売業者の提示する金額で購入するか、最も高額で入札したユーザーに販売するオークションサイトもしくはユーザーが購入希望商品の価格を指ししめし最も販売希望価格に近いユーザーに販売する逆オークションサイトでの購入が可能である。
【発明の開示】
【発明が解決しようとする課題】これらの販売システムは人気商品やプレミアム商品には適応する販売システムではあるが、商品販売希望者側が販売を希望する在庫品、店頭展示品等の販売手段には必ずしも適応しない販売システムという課題があった。【０００３】在庫品、店頭展示品、傷あり商品、クーリングオフ商品等は当該商品の現在商品価値に反し製造原価を大きく下回る価格での販売或いは廃棄処理を余儀なくされていた。
【課題を解決するための手段】
【０００４】本発明は前述した課題を解決するべく、インターネットや携帯電話等の通信ネットワーク上で商品購入希望者を募集し、商品販売希望者が販売を希望する商品の現在商品価値にみあう適正販売希望価格で商品情報を設定し、一定時間または一定日時で販売希望価格を低下させるものである。
【発明の効果】
【０００５】本発明は商品販売希望者の在庫品等を現在商品価値に近い販売チャンスを与えることが可能なシステムであり、またプライスをシステマチックに時間または日時によって販売希望金額を低下させることによって購入希望者の購入欲求を喚起する効果が可能性として得られ、商品流通のチャネルが広がり、引いては廃棄処理による資源問題あるいは不当廉売防止の期待が出来る。
【発明を実施するための最良の形態】
【０００６】以下、図面を参照にして本発明の実施の形態を説明する。
図１は、本発明の全体構成であり商品販売希望者１はプライスダウンサイト運営事業者２の商品リスト登録サイトで写真、販売価格、プライスダウン金額、価格降下の時間または日時等の商品情報を入力しインターネットを介して情報を提示する。【０００７】商品情報を受け取ったプライスダウンサイト運営事業者２はインターネットまたは携帯電話等の通信ネットワークにて購入希望者の端末３、４に情報を発信する。インターネットによるオープンサイトおよび事前会員を募るクローズドサイトともに想定している。【０００８】図２は商品情報を商品リスト６に登録し、最高販売希望価格７からスタートし商品販売希望者によるプライスダウン設定（時間または日時、一回のプライスダウン価格）８に移行し更には購入者が発生しない場合は次回プライスダウン設定９へ移行する。このように設定内容（時間または日時、ダウン価格）の変更を繰り返し最低販売希望価格内１０に購入希望者５が発生すれば取引の成立となる。しかし図３のように設定時間または日時もしくは最低販売希望価格内で購入希望者１１が発生しなかった場合は、再販売希望回数繰返し設定１２でプライスダウン販売システムを継続するものである。
【産業上の利用可能性】
【０００９】本発明はインターネットや携帯電話等の通信ネットワークを利用した商品販売希望者のプライスダウン販売方法であり、購入希望者の購入欲求を喚起する効果が可能性として得られ、商品流通のチャネルが広がるものである。
【図面の簡単な説明】
【００１０】
【図１】本発明の全体構成を説明するものである。
【図２】プライスダウン販売システムのフローチャートである。
【図３】プライスダウン再販売システムのフローチャートである。
【符号の説明】
【００１１】１商品販売希望者
２プライスダウン運営サイト
３パソコン
４携帯端末
５購入希望者
６商品情報リスト登録
７スタート希望価格
８〜１０プライスダウン設定
１１設定時間または日時および最低販売金額内で取引不成立
１２再販売希望回数繰返し設定
【図１】
2009043211.tif 000003
【図２】
2009043211.tif 000004
【図３】
2009043211.tif 000005